(57)【要約】【課題】  筐体に内蔵するＨＤＤユニット等から放出される熱を、冷却ファンを用いて前記筐体外に排出する記録再生装置の冷却構造において、前記装置を構成するシールド板で囲われた電子部品を用いて冷却風を誘導して効率よく冷却すると共に、前記電子部品により基板回路相互間のノイズ干渉を防止する実用性に優れた記録再生装置を提供することを目的とする。【解決手段】  メイン回路基板７０の一方にデジタル回路ブロック７４を、他方にアナログ回路ブロック７１を配置して、前記一方側にＨＤＤユニット３１等の発熱部３を配置すると共に前記発熱部３の背面に冷却ファン４を配置し、前記アナログ回路７１とデジタル回路７４の境界にシールド板５１で囲われたチューナーユニット５０を冷却風６の誘導壁５とすると共に前記回路７１，７４間の相互ノイズ干渉を防止した。【選択図】      図１
2006066037.tif 000002
【特許請求の範囲】
【請求項１】
筐体内の一方に配置されたＤＶＤユニットやＨＤＤユニットなどの発熱部と、前記筐体内の他方に配置されたアナログ回路ブロックと、前記発熱部の放出する熱を前記筐体外に排出する冷却ファンとを備えた記録再生装置において、前記冷却ファンは前記発熱部と前記アナログ回路ブロックとの境界で前記筐体背面に開口した排出口に配設され、前記冷却ファンによる冷却風を誘導する誘導壁が前記アナログ回路ブロックとの境界に併設されており、前記誘導壁は前記記録再生装置を構成する背の高い電子部品であることを特徴とする冷却構造を備えた記録再生装置。
【請求項２】
前記電子部品は金属製シールド板で囲われたチューナーユニットであることを特徴とする請求項１記載の冷却構造を備えた記録再生装置。
【請求項３】
前記アナログ回路ブロックは電源回路部とアナログ制御回路部から成り、前記発熱部との境界には前記電源回路部が配置されたことを特徴とする請求項１又は２記載の冷却構造を備えた記録再生装置。
【発明の詳細な説明】
【技術分野】
【０００１】
本発明は、筐体内部に収納するＨＤＤユニットやＤＶＤユニットなどから放出される熱を、冷却ファンを用いて前記筐体外部に排出する記録再生装置の冷却構造において、前記装置を構成する金属製シールド板で囲われた電子部品を用いて冷却風を誘導することにより効率よく冷却すると共に、前記電子部品によりデジタル系回路ブロックとアナログ系回路ブロックとの相互間のノイズ干渉を防止する記録再生装置に関する。
【背景技術】
【０００２】
従来から、発熱部を収納する電子機器筐体の内部を冷却する方法として、発熱部から排出口までの間に仕切り板を配置して冷却風の流路を作り、冷却ファンにより熱を外部に排出する方法が知られている。
【０００３】
このような電子機器筐体の冷却構造については、例えば次のような従来技術が提案されている。特許文献１には図４に示す電子機器の冷却装置を示す側断面図のように、ケーシング１００内に光ピックアップやディスク駆動装置などの第１の発熱部材１０１であるメカデッキ１０４と、第２の発熱部材１０２であるプリント回路基板１０７に植立したＩＣ１０６と、第３の発熱部材１０３である電源回路１０５など複数の発熱部材間に設けられた空気流１０８を誘導する誘導部材１０９を備え、複数の発熱部材のうち所望とする第１の発熱部材１０１に冷却ファン１１０の冷却風を吹き付けて強制空冷させると共に、誘導部材１０９に向かって送風させ、所望の発熱部材１０１とは異なる第２、第３の発熱部材１０２，１０３を誘導部材１０９への送風で誘導部材１０９の端部に生ずる負圧で自然空冷によって冷却させる。この誘導部材１０９は回路間の遮蔽板の効果を兼ね、電磁的な遮蔽には透磁率の高いパーマロイを、静電遮蔽には導電性の高い銅などの部材が、発熱部材１０１，１０２，１０３からの放射熱の遮断には高断熱性部材が用いられる方法が提案されている。
【０００４】
【特許文献１】特開平１１−１１２１７７号公報
【発明の開示】
【発明が解決しようとする課題】
【０００５】
前記従来技術によれば、ケーシング１００内に光ピックアップやディスク駆動装置などの第１の発熱部材１０１であるメカデッキ１０４と、第２の発熱部材１０２であるプリント回路基板１０７に植立したＩＣ１０６と、第３の発熱部材１０３である電源回路１０５など複数の発熱部材間に設けられた空気流１０８を誘導する誘導部材１０９を備えており、第１の発熱部材１０１に冷却ファン１１０を配置して該冷却ファン１１０の吸気を利用して冷却風を吹き付けて強制空冷させると共に、前記強制冷却後の冷却風を誘導部材１０９に向かって吹き付けて送風させ、誘導部材１０９への送風で誘導部材１０９の端部に生ずる負圧で生ずる空気の流れにより第２、第３の発熱部材１０２，１０３を自然空冷によって冷却させる。これにより、１つの冷却ファンで複数の発熱部材１０１，１０２，１０３を有効に冷却することが出来ると共に、この誘導部材１０９は回路間の電磁波による輻射に対するシールド効果や静電気に対する静電シールド効果、発熱部からの輻射熱に対する断熱効果を得ることが出来るが、前記誘導部材１０９は新たに別体の板状部材を用意して配置する必要があるのでコストが高くなるといった問題がある。また、ケーシング１００内における前記複数の発熱部材１０１，１０２，１０３は前記強制冷却ゾーン１１１と自然空冷ゾーン１１２が前記誘導部材１０９により隔離されるなど、冷却風の流路１０８を優先的に考慮して複雑な配置を必要としており、前記ケーシング１００のコンパクト化には妨げとなるといった問題がある。
【０００６】
本発明は、前記従来技術における冷却構造において、前記別体の板状部材による誘導部材１０９を用意して配置する必要性からコスト高となる問題は、電子機器を構成する電子部品１０６を用いて誘導部材１０９の機能を兼用することにより前記問題を回避し、さらに前記ケーシング１００内における複数の発熱部材１０１，１０２，１０３も前記冷却風の流路１０８を優先的に考慮して前記誘導部材１０９により隔離して配置することから、前記ケーシング１００のコンパクト化には弊害となるといった問題も、冷却ファン１１０を前記ケーシング１００から排気する位置に取り付けることで前記複数の発熱部材１０１，１０２，１０３からの熱を放出する冷却風の流路１０８を作ることにより解消して効率的に前記発熱部材１０１，１０２，１０３を冷却する方法を提供することを目的とする。
【課題を解決するための手段】
【０００７】
請求項１に係る冷却構造を備えた記録再生装置において、筐体内の一方に配置されたＤＶＤユニットやＨＤＤユニットなどの発熱部と、前記筐体内の他方に配置されたアナログ回路ブロックと、前記発熱部の放出する熱を前記筐体外に排出する冷却ファンとを備えた記録再生装置において、前記冷却ファンは前記発熱部と前記アナログ回路ブロックとの境界で前記筐体背面に開口した排出口に配設され、前記冷却ファンによる冷却風を誘導する誘導壁が前記アナログ回路ブロックとの境界に併設されており、前記境界の前記アナログ回路ブロック寄りに前記冷却ファンによる冷却風を誘導する誘導壁を配置しており、前記誘導壁は前記記録再生装置を構成する背の高い電子部品であることを特徴とする。
【０００８】
請求項１の構成によれば、この冷却構造を備えた記録再生装置には、前記発熱部の放出する熱を前記筐体外部に排出する冷却ファンを備えており、前記冷却ファンは前記発熱部と前記アナログ回路ブロックとの境界で前記筐体背面に開口した排出口に配設され、前記発熱部から放出される熱を前記筐体背面の排出口から前記筐体外に排出すると共に、前記冷却ファンによる冷却風を誘導する誘導壁が前記アナログ回路ブロックとの境界に併設されており、該誘導壁により前記発熱部で温められた空気を前記冷却ファンに誘導する冷却風の流路を形成させるので効率的に前記発熱部を冷却することが出来る。また、前記誘導壁は前記記録再生装置を構成する背の高い電子部品を配置したものであり、別体の誘導壁を新たに設ける必要もなく別体の誘導壁を製作する費用や取り付ける費用を必要としないことからコストを削減することが出来る。
【０００９】
本発明の請求項２の冷却構造を備えた記録再生装置は、請求項１記載の冷却構造を備えた記録再生装置において、前記電子部品は金属製シールド板で囲われたチューナーユニットであることを特徴とする。
【００１０】
請求項２の構成によれば、前記誘導壁として配置される前記電子部品は金属製シールド板で囲われたチューナーユニットであることから、前記発熱部であるＨＤＤユニットやＤＶＤユニットのデジタル系信号と前記アナログ回路ブロックにおけるアナログ系信号が相互に周波数干渉する相互間のノイズ干渉を前記金属性のシールド板で囲われた背の高いチューナーユニットにより遮断することが出来る。
【００１１】
本発明の請求項３の冷却構造を備えた記録再生装置は、請求項１又は２記載の冷却構造を備えた記録再生装置において、前記アナログ回路ブロックは電源回路部とアナログ制御回路部から成り、前記発熱部との境界には前記電源回路部が配置されたことを特徴とする。
【００１２】
請求項３の構成によれば、前記発熱部との境界には前記電源回路部が配置されたことにより、特に前記デジタル系信号であるＨＤＤユニットやＤＶＤユニットと、前記電源回路との相互間のノイズ干渉は前記背の高いチューナーユニットを囲う金属性のシールド板により効果的に遮断することが出来る。
【発明の効果】
【００１３】
請求項１に係る冷却構造を備えた記録再生装置の発明によれば、この記録再生装置には、前記発熱部と前記アナログ回路ブロックとの境界で前記筐体背面に開口した排出口に冷却ファンが配設され、前記冷却ファンによる冷却風を誘導する誘導壁が前記アナログ回路ブロックとの境界に併設されており、該誘導壁により前記発熱部で温められた空気を前記冷却ファンに効果的に誘導する冷却風の流路を形成させるので前記発熱部を効率的に冷却することが出来る。また、前記誘導壁は前記記録再生装置を構成する背の高い電子部品を配置したものであり、別体の誘導壁を新たに設ける必要もなく別体の誘導壁を製作する費用や取り付ける費用を必要としないことからコストを削減することが出来ると共に、別体の誘導壁を設けるスペースも不要であることから前記筐体のコンパクト化を妨げず、小型な記録再生装置を実現することが出来る。さらに、従来例のように前記複数の発熱部材は前記強制冷却ゾーンと自然空冷ゾーンが前記誘導部材により隔離されるなど、冷却風の流路を優先的に考慮して複雑な配置を必要としており、前記ケーシングのコンパクト化には弊害となるといった問題も回避することが出来る。
【００１４】
請求項２に係る冷却構造を備えた記録再生装置の発明によれば、この記録再生装置の誘導壁として配置される前記電子部品は金属製シールド板で囲われたチューナーユニットであることにより、前記ＨＤＤユニットやＤＶＤユニットのデジタル系信号と前記アナログ回路ブロックのアナログ系信号が相互に周波数干渉することを、前記チューナーユニットを囲う金属性のシールド板により遮蔽することが出来るので、従来例のように電磁的な遮蔽には透磁率の高いパーマロイを、また、静電遮蔽には導電性の高い銅などの部材の別体を配置する必要がないと共に、前記誘導壁として冷却ファンの近傍に配置され前記チューナーユニットは冷却風により冷却されながら前記発熱部と前記アナログ回路ブロック間の熱遮蔽を行うことが出来るので、従来例のように敢えて別体の高断熱性部材などを用いる必要も無く、前記各種の遮蔽手段は前記チューナーユニットだけで賄うことが出来る。
【００１５】
請求項３に係る冷却構造を備えた記録再生装置の発明によれば、前記発熱部との境界には前記電源回路部が配置されることにより、特に前記デジタル系信号であるＨＤＤユニットやＤＶＤユニットと、前記電源回路との相互間のノイズ干渉は前記チューナーユニットを囲う金属性のシールド板により効果的に遮蔽することが出来るので、前記記録再生装置の誤動作を防止することが出来ると共に、ＨＤＤユニットやＤＶＤユニットの映像音声信号がノイズにより異常をきたすことを防止することが出来る。
【発明を実施するための最良の形態】
【００１６】
以下、本発明を実施するための最良の形態としての実施例を図１〜図３により以下に説明する。もちろん、本発明は、その発明の趣旨に反さない範囲で、実施例において説明した以外のものに対しても容易に適用可能なことは説明を要するまでもない。
【００１７】
図１は本発明における記録再生装置内に配置した冷却ファンと誘導壁により形成される冷却風の流路を示す模式説明図である。また図２は本発明の一実施例における記録再生装置の回路構成を示すブロック説明図である。図３は本発明における記録再生装置の内部を透視した斜視説明図である。
【００１８】
先ず、図２に示す記録再生装置１の筐体２内について平面ブロック図を用いて説明する。
【００１９】
図２において、手前側が前記記録再生装置１筐体２の前面であり奥側が背面に相当し、複数のブロックが重なって影の領域は前記筐体２の底面寄りに配置されたブロックを示す。該筐体２の両側面には図示しないスリット状の吸気口が筐体２内の換気を行うために分散して形成され配置されている。また、筐体２底面側には図の左端寄りから右方向に約３／４近くの範囲までメイン回路基板７０が配置され、その左側はアナログ回路ブロック７１が占めており、該アナログ回路ブロック７１の奥側には電源回路部７２が、手前側にはアナログ制御回路部７３が構成されている。また、前記メイン回路基板７０の略中央から右側はデジタル回路ブロック７４が配置され、前記筐体２に内蔵されるＤＶＤ（Ｄｉｇｉｔａｌ  Ｖｅｒｓｔｉｌｅ  Ｄｉｓｃ）ユニット３０とＨＤＤ（Ｈａｒｄ  Ｄｉｓｋ  Ｄｒｉｖｅ）ユニット３１の図示しない駆動制御回路部などが構成されている。続いて、前記メイン回路基板７０の上部には図の右側からＤＶＤユニット３０とＨＤＤユニット３１が配置され、前記ＨＤＤユニット３１の上部には映像音声信号の圧縮解凍処理を行うＭｏｖｉｎｇ  Ｐｉｃｔｕｒｅ  Ｅｘｐｅｒｔｓ  Ｇｒｏｕｐ規格に基づくＭＰＥＧ回路ブロック基板３２が配置されている。また、前記ＨＤＤユニット３１と前記電源回路部７２との境界で前記筐体２背面に排出口６０が形成され、ここに冷却ファン４が配設されている。さらに、受信した放送信号から所定の信号を選択して可聴周波数に変換処理するチューナーユニット５０が前記電源回路部７２との境界に併設されている。
【００２０】
続いて図３により記録再生装置１の筐体２内部構成について透視した斜視図により説明する。
【００２１】
図３は前記記録再生装置１を正面側からの斜視図であり、前述のように筐体２の両側面にスリット状の吸気口６１が分散して配置されていると共に内部底面側にはメイン回路基板７０が配置され、前記メイン回路基板７０の右上側にＤＶＤユニット３０が配置され、その左に隣接してＨＤＤユニット３１が配置されている。前記ＨＤＤユニット３１は前記ＤＶＤユニット３０より厚さが薄いので、その上部にＭＰＥＧ回路ブロック基板３２を載置している。前記ＨＤＤユニット３１の左背面側で筐体２背面には図示しない排出口が開口しており、冷却ファン４が配設されている。本実施例の記録再生装置１では前記メイン回路基板７０において、前記ＨＤＤユニット３１の左側面あたりを境界として右側がデジタル回路ブロック７４であり、左側にはアナログ回路ブロック７１が配置されており、該アナログ回路ブロック７１の手前側がアナログ制御部７３で奥側が電源回路部７２である。前記冷却風６を誘導するチューナーユニット５０は前記電源回路部７２に併設して前記冷却ファン４の近傍に配置されている。
【００２２】
続いて図１により前記記録再生装置筐体内に配置した冷却ファンと前記チューナーユニットによる誘導壁により形成される冷却風の流路について説明する。
【００２３】
図１において、前記ＤＶＤユニット３０やＨＤＤユニット３１は熱を放出する発熱部３であり、ＨＤＤユニット３１の上部に載置されたＭＰＥＧ回路ブロック基板３２も熱を放出する。中でも前記ＨＤＤユニットは密封構造となっており、内部に熱が溜まりやすく放熱し辛いため冷却風の流路を考慮して冷却ファンの近傍に配置している。また、前記チューナーユニット５０は背が高く金属性のシールド５１で囲われており、前記冷却ファン４による冷却風６を誘導する誘導壁５として配置している。ここで前記冷却ファン４が作動すると、筐体２の両側面に分散して配置された吸気口６１から筐体２内に外気が吸入される。前記筐体２の右側面（図の右側）の吸気口６１から吸入された外気は前記筐体２内に配置されたＤＶＤユニット３０の周囲、およびＨＤＤユニット３１やＭＰＥＧ回路ブロック基板３２の周囲を冷却しながら前記冷却ファン４に向かう冷却風６によって冷却され、筐体２外に排出することが出来る。
【００２４】
また、前記筐体２の左側面（図の左側）の吸気口６１から吸入された外気はアナログ回路ブロック７１を構成する電源回路部７２の図示しない電源トランスなどを冷却し、続いて前記チューナーユニット５０による誘導壁５を迂回し、前記熱を放出し辛いＨＤＤユニット３１の近傍を冷却風６が通過し、前記冷却ファン４によって前記筐体２外に排出されるので前記ＨＤＤユニット３１も効率よく冷却することが出来る。さらに、背が高く金属性のシールド５１で囲われた前記チューナーユニット５０を誘導壁５として配置したことにより、前記ＨＤＤユニット３１などの発熱部３から放出される輻射熱を遮断することが出来ると共に、前記チューナーユニット５０自体も前記冷却ファン４の近傍にあり冷却風６により強制冷却されるのでチューナーユニット５０が昇温して高温になる恐れもない。以上、前記筐体２の両側面に形成された吸気口６１から冷却風６を取り入れて冷却ファン４により筐体２内の熱を排出する実施例を説明したが、前記吸気口６１と排気口６０を逆にして、冷却ファン４から吸気することにより冷却風６を逆方向に流して冷却することも可能である。これにより前記冷却ファン４から外気は吸入され、前記発熱部３を冷却した後、前記吸気口６１としていた筐体２の両側面に設けたスリット状の開口部から熱を筐体２外に排出することが可能となる。
【００２５】
また、前記チューナーユニット５０は前述のように金属製のシールドで囲われた電子部品であり、電磁遮蔽効果や静電遮蔽効果を併せ持っている。これを前記メイン基板７０のデジタル回路ブロック７４とアナログ回路ブロック７３の電源回路部７２との境界で、且つデジタル信号系であるＤＶＤユニット３０やＨＤＤユニット３１、及びＭＰＥＧ回路ブロック基板３２との境界域に配置したことにより、デジタル系信号とアナログ系信号の相互間の周波数干渉を抑えることが出来る。
【００２６】
以上のように本実施例によれば、本発明の冷却構造を備えた記録再生装置１は、前述の実施例のように、発熱部３から放出される熱を排出する冷却ファン４の近傍に冷却風６の流れを誘導する誘導壁５として前記記録再生装置１を構成する電子部品の１つでもあるチューナーユニット５０を配置したことにより、前記筐体２内では発熱部３の周縁を通り冷却ファン４に誘導する冷却風６の流路を形成することが出来、前記発熱部３の放出する熱を効率よく前記筐体２外に排出することが出来ることから、従来例のように敢えて別体の誘導部材１０９を用意して配置する必要も無く、かかる別体の製作費用や別体を取り付けに要する費用を必要としないことからコストを引き下げることが出来る。さらに、前記従来例によればケーシング１００内における前記複数の発熱部材１０１，１０２，１０３は前記強制冷却ゾーン１１１と自然空冷ゾーン１１２が前記誘導部材１０９により隔離されるなど、冷却風の流路１０８を優先的に考慮して複雑な配置を必要としており、前記ケーシング１００のコンパクト化には妨げとなるといった問題も回避することが出来ることから前記記録再生装置1を小型化、薄型化することが出来る。
【００２７】
また、前記誘導壁５は前記記録再生装置１を構成する金属製のシールドで囲われたチューナーユニット５０であり、前記冷却効率を向上させる効果を発揮すると共に、電磁遮蔽効果や静電遮蔽効果を併せ持っており、デジタル系信号とアナログ系信号の相互間の周波数干渉を抑えることが出来るので、新たに別体の遮蔽板を用いて配置する必要が無く前記別体の遮蔽板を配置するための費用を必要としないのでコストを引き下げることが出来る。これにより、従来例のように誘導部材１０９は回路間の遮蔽板の効果を兼ね、電磁的な遮蔽には透磁率の高いパーマロイを、静電遮蔽には導電性の高い銅などの部材が、発熱部材１０１，１０２，１０３からの放射熱の遮断には高断熱性部材が用いられるなどと遮蔽板としての材質を使い分ける必要も無いので遮蔽板に対する材料管理費用や使い分けのための設計費用も不要となりトータルコストを大幅に引き下げることが出来る。
【００２８】
以上、本実施例を詳述したが、本発明は、前記実施例に限定されるものではなく、本発明の要旨の範囲内で種々の変形実施が可能である。例えば、筐体２に内蔵される発熱部３であるＤＶＤニット３０とＨＤＤユニット３１はどちらも揃っている必要は無く、何れか一方でも良く、他に筐体２内の温度を引き上げる発熱部３として前記ＭＰＥＧ回路ブロック３２とか図示しないＩＣを植立させたマイコン回路部、或いは電源回路部７２が含まれていてもよい。また、前述の如く前記冷却ファン４から吸気して前記吸気口６１を排気口に変更することにより、前記筐体２内の熱を排出することも可能であり、これら発熱部３を効率的に冷却すると共に相互間の干渉ノイズを軽減することが可能な状態であればよく、また、筐体２内における回路基板やＨＤＤユニット３１などの配置は使い易さやコンパクト化、低コスト化などを配慮して変更するなど前記実施例に限定されるものではなく、適宜選定すればよい。
【図面の簡単な説明】
【００２９】
【図１】本発明の記録再生装置内に配置した冷却ファンと誘導壁により形成される冷却風の流路を示す模式説明図である。
【図２】本発明における一実施例における記録再生装置の回路構成を示すブロック説明図である。
【図３】本発明における記録再生装置の内部を透視した斜視説明図である。
【図４】従来の電子機器の冷却装置を示す側断面説明図である。
【符号の説明】
【００３０】
１          記録再生装置
２          筐体
３          発熱部
４          冷却ファン
６          冷却風
３０        ＤＶＤユニット
３１        ＨＤＤユニット
５０        チューナーユニット（電子部品）
５１        シールド板
６０        排出口
７１        アナログ回路ブロック
７２        電源回路部
７３        アナログ制御回路部
【図１】
2006066037.tif 000003
【図２】
2006066037.tif 000004
【図３】
2006066037.tif 000005
【図４】
2006066037.tif 000006